(57)【要約】【課題】対物レンズをチルト補正可能に支持する部材によって対物レンズの光束が遮光されないようにし、対物レンズでの光利用効率を高める。【解決手段】対物レンズ２の外周部を保持するとともに対物レンズ２の光軸と直交する対物レンズ２の外周方向に突出する軸心を有する一対の支軸１４が設けられた対物レンズホルダ１３と、支軸１４をラジアル方向と直交する方向の軸心周りに回動自在に支持する軸受部１７が設けられて対物レンズホルダ１３を収納するボビン３と、対物レンズホルダ１３を支軸１４の軸心周りに回動させるチルト補正手段２０とを有する。これにより、対物レンズホルダ１３を回動自在に支持してチルト補正を可能とする部材である対物レンズホルダ１３が対物レンズ２の光束の範囲外に位置するので、対物レンズ２の光束が対物レンズホルダ１３により遮光されず、対物レンズ２での光利用効率が高くなって良好な信号特性が得られる。【選択図】    図２
2004288265.tif 000002
【特許請求の範囲】
【請求項１】
入射された光ビームを光ディスク上に集光する対物レンズの光軸の傾きを補正する対物レンズチルト補正装置において、
前記対物レンズの外周部を保持し、前記対物レンズの光軸と直交して前記対物レンズの外周方向に突出する軸心を有する一対の支軸が設けられた対物レンズホルダと、
前記支軸をラジアル方向又はタンジェンシャル方向と直交する方向の軸心周りに回動自在に支持する軸受部が設けられ、前記対物レンズホルダを収納するボビンと、
前記対物レンズホルダを前記支軸の軸心周りに回動させるチルト補正手段と、を有することを特徴とする対物レンズチルト補正装置。
【請求項２】
入射された光ビームを光ディスク上に集光する対物レンズの光軸の傾きを補正する対物レンズチルト補正装置において、
前記対物レンズに設けられ、前記対物レンズの光軸と直交して前記対物レンズの外周方向に突出する軸心を有する一対の支軸と、
前記支軸をラジアル方向又はタンジェンシャル方向と直交する方向の軸心周りに回動自在に支持する軸受部が設けられ、前記対物レンズホルダを収納するボビンと、
前記対物レンズを前記支軸の軸心周りに回動させるチルト補正手段と、
を有することを特徴とする対物レンズチルト補正装置。
【請求項３】
前記ボビンに前記軸受部の近傍に位置する凹部が形成され、
前記凹部内に前記対物レンズホルダ又は前記対物レンズの外周面に押圧される粘弾性部材が設けられていることを特徴とする請求項１又は２記載の対物レンズチルト補正装置。
【請求項４】
入射された光ビームを光ディスク上に集光する対物レンズの光軸の傾きを補正する対物レンズチルト補正装置において、
前記対物レンズの外周部を保持する対物レンズ内側ホルダ、及び、一端がこの対物レンズ内側ホルダに固定され、前記対物レンズの光軸と直交して前記対物レンズの外周方向に突出する軸心を有する一対の支軸、及び、これらの支軸の他端が固定された対物レンズ外側ホルダを有する対物レンズホルダと、
前記対物レンズホルダを前記支軸がラジアル方向又はタンジェンシャル方向と直交する向きに収納するボビンと、
前記支軸を軸心周りにねじる向きに前記対物レンズ内側ホルダを回動させるチルト補正手段と、
を有することを特徴とする対物レンズチルト補正装置。
【請求項５】
前記チルト補正手段は、前記対物レンズの外周部に位置付けられた少なくとも２つの円弧状のチルト補正マグネットと、前記対物レンズの光軸と一致するコイル中心を有して前記チルト補正マグネットの外周に近接して前記ボビンに取付けられたリング状のチルト補正コイルとを有することを特徴とする請求項１ないし４のいずれか一記載の対物レンズチルト補正装置。
【請求項６】
前記対物レンズ外側ホルダがリング状に形成され、前記対物レンズ外側ホルダに前記チルト補正コイルが巻かれていることを特徴とする請求項５記載の対物レンズチルト補正装置。
【請求項７】
入射された光ビームを光ディスク上に集光する対物レンズの光軸の傾きを補正する対物レンズチルト補正装置において、
前記対物レンズに設けられ、前記対物レンズの光軸と直交して前記対物レンズの外周方向に突出する軸心を有する一対の第一支軸と、
前記第一支軸を軸心周りに回動自在に支持する第一軸受部と前記対物レンズの光軸及び前記第一支軸に直交して前記対物レンズの外周方向に突出する軸心を有する一対の第二支軸とを有する対物レンズホルダと、
前記第二支軸をラジアル方向又はタンジェンシャル方向と直交する方向の軸心周りに回動自在に支持する第二軸受部が設けられ、前記対物レンズホルダを収納するボビンと、
前記対物レンズを前記第一支軸の軸心周りに回動させる第一チルト補正手段と、
前記対物レンズホルダを前記第二支軸の軸心周りに回動させる第二チルト補正手段と、
を有することを特徴とする対物レンズチルト補正装置。
【請求項８】
請求項１ないし７のいずれか一記載の対物レンズチルト補正装置と、
前記ボビンをフォーカシング方向とトラッキング方向とに移動可能に弾性的に支持する複数本の棒状弾性支持部材と、
前記ボビンをフォーカシング方向とトラッキング方向とに移動させる移動手段と、
を有することを特徴とする対物レンズ駆動装置。
【請求項９】
前記チルト補正手段に給電する導電線が前記棒状弾性支持部材に支持されていることを特徴とする請求項８記載の対物レンズ駆動装置。
【請求項１０】
前記棒状弾性支持部材が前記チルト補正手段に給電する部材として用いられていることを特徴とする請求項８記載の対物レンズ駆動装置。
【請求項１１】
光ディスクに対して照射する照射するレーザ光を発するレーザ光源と、
請求項８ないし１０のいずれか一記載の対物レンズ駆動装置と、
前記光ディスクからの反射光を受光する受光光学系と、
を備えることを特徴とする光ピックアップ装置。
【請求項１２】
光ディスクを回転駆動する回転駆動系と、
前記光ディスクの半径方向に移動自在に設けられた請求項１１記載の光ピックアップ装置と、
を備えることを特徴とする光ディスク装置。
【発明の詳細な説明】
【０００１】
【発明の属する技術分野】
本発明は、対物レンズチルト補正装置、対物レンズ駆動装置、光ピックアップ装置及び光ディスク装置に関する。
【０００２】
【従来の技術】
光ディスク上に光ビームを集光することによりデータの読み取りやデータの書き込みを行う光ディスク装置では、光ディスク上に集光される光ビームが光ディスクに対して傾くと、読み取り性能や書き込み性能が低下するという問題が発生する。このような問題を解決するため、光ビームが光ディスク上に常に垂直向きに照射されるように対物レンズを傾ける補正（チルト補正）を行う対物レンズチルト補正装置の発明が、種々提案され、実用化されている。その一例としては、対物レンズの外周部にマグネットを固定し、マグネットと対向する位置にコイルを配置したものが知られている（例えば、特許文献１参照）。
【０００３】
上述した特許文献１に開示された対物レンズチルト補正装置の発明について、図１５及び図１６に基づいて説明する。図１５は、対物レンズチルト補正装置を含む対物レンズ駆動装置を示す平面図であり、４本の棒状弾性支持部材１０１によりボビン１０２が支持され、ボビン１０２内に対物レンズ１０３が収納されている。ボビン１０２には、フォーカシングコイル１０４ａとトラッキングコイル１０４ｂとが固定され、これらのコイル１０４ａ、１０４ｂは位置固定に配置されたマグネット１０５に対向配置されている。これらのコイル１０４ａ、１０４ｂに通電することにより、コイル１０４ａ、１０４ｂとマグネット１０５との間に電磁力が発生し、この電磁力によって棒状弾性支持部材１０１が撓み、ボビン１０２が対物レンズ１０３と共にフォーカシング方向、トラッキング方向へ移動する。
【０００４】
ボビン１０２内に収納された対物レンズ１０３は、一端が対物レンズ１０３の光束１０６中の位置に連結されて他端が透明材料からなる固定部材１０７に連結された弾性を有する支持部材１０８により支持されている。固定部材１０７は光束１０６と交差する位置に配置され、ボビン１０２に固定されている。
【０００５】
対物レンズ１０３の外周部にはチルト補正用のマグネット１０８ａ、１０８ｂが一対ずつ固定され、ボビン１０２におけるマグネット１０８ａ、１０８ｂに対向する箇所にはチルト補正コイル１０９ａ、１０９ｂが配置されている。
【０００６】
対物レンズ１０３をチルト補正する場合において、チルト補正コイル１０９ａに通電することによりマグネット１０８ａとの間に電磁力が発生し、対物レンズ１０３がラジアル方向に回動してラジアル方向のチルト補正が行われる。また、チルト補正コイル１０９ｂに通電することによりマグネット１０８ｂとの間に電磁力が発生し、対物レンズ１０３がタンジェンシャル方向に回動してタンジェンシャル方向のチルト補正が行われる。
【０００７】
【特許文献１】
特開平１０−６４０９４号公報
【０００８】
【発明が解決しようとする課題】
しかし、上述した発明では、以下に述べるような問題点がある。
【０００９】
まず、対物レンズ１０３により集光される光束１０６中に支持部材１０８と固定部材１０７とが位置するため、光束１０６の一部が支持部材１０８や固定部材１０７によって遮光され、光の利用効率が低下する。
【００１０】
また、対物レンズ１０３の表面に支持部材１０８を固定することにより対物レンズ１０３の波面収差が劣化し、集光性能が低下する。
【００１１】
また、対物レンズ１０３は支持部材１０８によってラジアル方向へバネ性をもって支持されているため、ボビン１０２がラジアル方向へ移動することにより対物レンズ１０３がラジアル方向へ振動するので、トラッキング信号による対物レンズ１０３のトラッキング制御が不安定になってしまうという問題が発生し、光ディスクに対する記録再生の性能が低下する。
【００１２】
また、マグネット１０８ａ、１０８ｂとチルト補正コイル１０９ａ、１０９ｂとの間隔などの組付バラツキが発生しやすく、組付バラツキにより共振等の不具合が発生しやすい。この組付バラツキは、マグネット１０８ａ、１０８ｂやチルト補正コイル１０９ａ、１０９ｂの数が多くなるにつれて発生しやすくなる。
【００１３】
本発明の目的は、対物レンズの光束を遮光することなく対物レンズのチルト補正を行うことである。
【００１４】
本発明の別の目的は、対物レンズを収納するボビンがラジアル方向へ移動するときに、対物レンズがボビンに対して振動しないようにすることである。
【００１５】
本発明の別の目的は、対物レンズチルト補正装置の組付け工程数を少なくすることである。
【００１６】
【課題を解決するための手段】
請求項１記載の発明は、入射された光ビームを光ディスク上に集光する対物レンズの光軸の傾きを補正する対物レンズチルト補正装置において、前記対物レンズの外周部を保持し、前記対物レンズの光軸と直交して前記対物レンズの外周方向に突出する軸心を有する一対の支軸が設けられた対物レンズホルダと、前記支軸をラジアル方向又はタンジェンシャル方向と直交する方向の軸心周りに回動自在に支持する軸受部が設けられ、前記対物レンズホルダを収納するボビンと、前記対物レンズホルダを前記支軸の軸心周りに回動させるチルト補正手段と、を有することを特徴とする。
【００１７】
したがって、対物レンズのラジアル方向又はタンジェンシャル方向のチルト補正は、対物レンズを対物レンズホルダと共にチルト補正手段によって支軸の軸心周りに回動させることにより行われる。対物レンズホルダを回動自在に支持する部材である対物レンズホルダが対物レンズの光束の範囲外に位置するので、対物レンズの光束が対物レンズホルダによって遮光されることがなく、対物レンズでの光利用効率が高くなり、良好な信号特性が得られる。また、対物レンズは弾性支持されているのではないので、ボビンがトラッキング方向に移動しても対物レンズがそのトラッキング方向に振動するということが発生せず、対物レンズのトラッキング制御が安定する。
【００１８】
請求項２記載の発明は、入射された光ビームを光ディスク上に集光する対物レンズの光軸の傾きを補正する対物レンズチルト補正装置において、前記対物レンズに設けられ、前記対物レンズの光軸と直交して前記対物レンズの外周方向に突出する軸心を有する一対の支軸と、前記支軸をラジアル方向又はタンジェンシャル方向と直交する方向の軸心周りに回動自在に支持する軸受部が設けられ、前記対物レンズホルダを収納するボビンと、前記対物レンズを前記支軸の軸心周りに回動させるチルト補正手段と、を有することを特徴とする。
【００１９】
したがって、対物レンズのラジアル方向又はタンジェンシャル方向のチルト補正は、対物レンズをチルト補正手段によって支軸の軸心周りに回動させることにより行われる。対物レンズホルダを回動自在に支持する部材である支軸が対物レンズの光束の範囲外に位置するので、対物レンズの光束が支軸によって遮光されることがなく、対物レンズでの光利用効率が高くなり、良好な信号特性が得られる。また、対物レンズは弾性支持されているのではないので、ボビンがトラッキング方向に移動しても対物レンズがそのトラッキング方向に振動するということが発生せず、対物レンズのトラッキング制御が安定する。さらに、支軸を対物レンズに直接設けることによってチルト補正時に回動する部分が軽量化されるので、チルト補正時の消費電力の低減化、チルト補正のレスポンスの迅速化が達成される。
【００２０】
請求項３記載の発明は、請求項１又は２記載の対物レンズチルト補正装置において、前記ボビンに前記軸受部の近傍に位置する凹部が形成され、前記凹部内に前記対物レンズホルダ又は前記対物レンズの外周面に押圧される粘弾性部材が設けられていることを特徴とする。
【００２１】
したがって、ボビンのトラッキング制御時や対物レンズのチルト補正時において、ボビンと対物レンズとの間での共振の発生を粘弾性部材により抑制でき、良好な光スポットを光ディスク上に集光できるようになり、良好な記録再生が可能になる。
【００２２】
請求項４記載の発明は、入射された光ビームを光ディスク上に集光する対物レンズの光軸の傾きを補正する対物レンズチルト補正装置において、前記対物レンズの外周部を保持する対物レンズ内側ホルダ、及び、一端がこの対物レンズ内側ホルダに固定され、前記対物レンズの光軸と直交して前記対物レンズの外周方向に突出する軸心を有する一対の支軸、及び、これらの支軸の他端が固定された対物レンズ外側ホルダを有する対物レンズホルダと、前記対物レンズホルダを前記支軸がラジアル方向又はタンジェンシャル方向と直交する向きに収納するボビンと、前記支軸を軸心周りにねじる向きに前記対物レンズ内側ホルダを回動させるチルト補正手段と、を有することを特徴とする。
【００２３】
したがって、対物レンズのラジアル方向又はタンジェンシャル方向のチルト補正は、チルト補正手段により支軸がその軸心周りにねじられ、対物レンズと対物レンズ内側ホルダとが一体に回動することにより行われる。このため、チルト補正時における支軸の周りでのガタがなくなり、高精度のチルト補正を行える。対物レンズホルダを回動自在に支持する部材である対物レンズホルダが対物レンズの光束の範囲外に位置するので、対物レンズの光束が対物レンズホルダによって遮光されることがなく、対物レンズでの光利用効率が高くなり、良好な信号特性が得られる。
【００２４】
請求項５記載の発明は、請求項１ないし４のいずれか一記載の対物レンズチルト補正装置において、前記チルト補正手段は、前記対物レンズの外周部に位置付けられた少なくとも２つの円弧状のチルト補正マグネットと、前記対物レンズの光軸と一致するコイル中心を有して前記チルト補正マグネットの外周に近接して前記ボビンに取付けられたリング状のチルト補正コイルとを有することを特徴とする。
【００２５】
したがって、使用するチルト補正コイルが一つでよく、しかも、その形状がリング状であるので、チルト補正コイルのボビンへの取付精度を高めることができるとともに円弧状のチルト補正マグネットとの間の磁気ギャップのバラツキを抑制することができ、チルト補正の制御を安定させることができる。
【００２６】
請求項６記載の発明は、請求項５記載の対物レンズチルト補正装置において、前記対物レンズ外側ホルダがリング状に形成され、前記対物レンズ外側ホルダに前記チルト補正コイルが巻かれていることを特徴とする。
【００２７】
したがって、チルト補正コイルとチルト補正マグネットとの間の磁気ギャップのバラツキがより小さくなり、チルト補正の制御をより安定させることができる。
【００２８】
請求項７記載の発明は、入射された光ビームを光ディスク上に集光する対物レンズの光軸の傾きを補正する対物レンズチルト補正装置において、前記対物レンズに設けられ、前記対物レンズの光軸と直交して前記対物レンズの外周方向に突出する軸心を有する一対の第一支軸と、前記第一支軸を軸心周りに回動自在に支持する第一軸受部と前記対物レンズの光軸及び前記第一支軸に直交して前記対物レンズの外周方向に突出する軸心を有する一対の第二支軸とを有する対物レンズホルダと、前記第二支軸をラジアル方向又はタンジェンシャル方向と直交する方向の軸心周りに回動自在に支持する第二軸受部が設けられ、前記対物レンズホルダを収納するボビンと、前記対物レンズを前記第一支軸の軸心周りに回動させる第一チルト補正手段と、前記対物レンズホルダを前記第二支軸の軸心周りに回動させる第二チルト補正手段と、を有することを特徴とする。
【００２９】
したがって、対物レンズのラジアル方向又はタンジェンシャル方向のチルト補正は、第一チルト補正手段又は第二チルト補正手段により、第一支軸又は第二支軸の軸心周りに対物レンズを回動させることにより行われる。対物レンズを回動自在に支持する部材である第一支軸や対物レンズホルダが対物レンズの光束の範囲外に位置するので、対物レンズの光束が第一支軸や対物レンズホルダによって遮光されることがなく、対物レンズでの光利用効率が高くなり、良好な信号特性が得られる。また、対物レンズは弾性支持されているのではないので、ボビンがトラッキング方向に移動しても対物レンズがそのトラッキング方向に振動するということが発生せず、対物レンズのトラッキング制御が安定する。
【００３０】
請求項８記載の発明の対物レンズ駆動装置は、請求項１ないし７のいずれか一記載の対物レンズチルト補正装置と、前記ボビンをフォーカシング方向とトラッキング方向とに移動可能に弾性的に支持する複数本の棒状弾性支持部材と、前記ボビンをフォーカシング方向とトラッキング方向とに移動させる移動手段と、を有することを特徴とする。
【００３１】
したがって、この対物レンズ駆動装置によれば、請求項１ないし７のいずれか一記載の発明と同じ作用を奏する。
【００３２】
請求項９記載の発明は、請求項８記載の対物レンズ駆動装置において、前記チルト補正手段に給電する導電線が前記棒状弾性支持部材に支持されていることを特徴とする。
【００３３】
したがって、チルト補正手段に給電するための導電線の配線が容易になる。また、ボビンの移動時に導電線の共振が発生せず、フォーカシング及びトラッキングの制御精度が向上する。
【００３４】
請求項１０記載の発明は、請求項８記載の対物レンズ駆動装置において、前記棒状弾性支持部材が前記チルト補正手段に給電する部材として用いられていることを特徴とする。
【００３５】
したがって、チルト補正手段に給電するための専用の導電線を設けることが不要となり、部品点数、組立工程数が少なくなる。
【００３６】
請求項１１記載の発明の光ピックアップ装置は、光ディスクに対して照射する照射するレーザ光を発するレーザ光源と、請求項８ないし１０のいずれか一記載の対物レンズ駆動装置と、前記光ディスクからの反射光を受光する受光光学系と、を備えることを特徴とする。
【００３７】
したがって、対物レンズのチルト補正に関し、請求項１ないし７のいずれか一に記載の発明と同じ作用を奏する。
【００３８】
請求項１２記載の発明の光ディスク装置は、光ディスクを回転駆動する回転駆動系と、前記光ディスクの半径方向に移動自在に設けられた請求項１１記載の光ピックアップ装置と、を備えることを特徴とする。
【００３９】
したがって、対物レンズのチルト補正に関し、請求項１ないし７のいずれか一に記載の発明と同じ作用を奏する。
【００４０】
【発明の実施の形態】
本発明の第１の実施の形態を図１ないし図３に基づいて説明する。図１は対物レンズ駆動装置を示す側面図、図２は対物レンズチルト補正装置を示す分解斜視図、図３はその断面図である。
【００４１】
本実施の形態の対物レンズ駆動装置１は、対物レンズセンター型であり、対物レンズ２がボビン３の略中央の上端部に保持され、ボビン３が４本の棒状弾性支持部材４によってフォーカシング方向及びトラッキング方向の２軸方向に弾性を持って支持されている。ボビン３には、対物レンズ２の光軸方向（フォーカシング方向）と平行な軸を中心とするフォーカシング駆動用コイル５が巻線され、対物レンズ２の光軸方向と垂直な方向（トラッキング方向）と平行な軸を中心としてトラッキング駆動用コイル６が取付けられている。ここで、フォーカシング駆動用コイル５、トラッキング駆動用コイル６の両端は各々棒状弾性支持部材４に電気的に結線されている。
【００４２】
この対物レンズ駆動装置１には基台７が設けられており、この基台７には一対のヨーク８が一体に形成され、基台７の一端側には固定部材９が固定されている。ヨーク８にはこれらのヨーク８とともにフォーカシング駆動用コイル５及びトラッキング駆動用コイル６に対する磁気回路を形成する駆動用磁石１０が固定されている。固定部材９には基板１１が貼り付けられ、この基板１１に棒状弾性支持部材４の先端部が半田付けされている。そして、これらの駆動用磁石１０、フォーカシング駆動用コイル５、トラッキング駆動用コイル６等により、ボビン３がフォーカシング方向とトラッキング方向とに移動するように棒状弾性支持部材４を撓ませる移動手段１２が形成されている。
【００４３】
対物レンズ２はリング状の対物レンズホルダ１３内に保持され、この対物レンズホルダ１３には、対物レンズ２の光軸と直交して対物レンズ２の外周方向に突出する軸心を有する一対の支軸１４が設けられている。
【００４４】
ボビン３には、円筒状の貫通孔部１５と、この貫通孔部１５の上部側に位置して対物レンズホルダ１３を対物レンズ２と共に収納する収納凹部１６とが形成されている。収納凹部１６の周縁部には、支軸１４をラジアル方向と直交する軸心周りに回動自在に支持する一対の軸受部１７が形成されている。支軸１４と軸受部１７とはシリコンゴムやブチルゴムなどの防振性のある部材で回動可能にシールされている。
【００４５】
対物レンズホルダ１３の外周部には、円弧状に形成された一対のチルト補正マグネット１８が固定されている。一対のチルト補正マグネット１８は、一方のチルト補正マグネット１８は内周側がＮ極で外周側がＳ極、他方のチルト補正マグネット１８は内周側がＳ極で外周側がＮ極となるように極性が定められている。また、ボビン３の収納凹部１６には、対物レンズ２の光軸と一致するコイル中心を有してチルト補正マグネット１８の外周に近接して位置付けられるリング状のチルト補正コイル１９が収納されている。そして、これらのチルト補正マグネット１８、チルト補正コイル１９等により、対物レンズホルダ１３を対物レンズ２と共に支軸１４の軸心周りに回動させるチルト補正手段２０が形成されている。支軸１４の軸心は、対物レンズホルダ１３、対物レンズ２、チルト補正マグネット１８の総合重心位置に一致するように設けられる。
【００４６】
このような構成において、チルト補正コイル１９に電流を流すことにより、チルト補正コイル１９とチルト補正マグネット１８との間に電磁力が発生し、その電磁力によって対物レンズホルダ１３が対物レンズ２と共に支軸１４の軸心周りに回動し、対物レンズ２のラジアル方向のチルト補正を行える。
【００４７】
対物レンズホルダ１３を回動自在に支持する部材である支軸１４が対物レンズ２の光束の範囲外に位置するので、この支軸１４が対物レンズ２の光束を遮ることがない。このため、この対物レンズ２での光利用効率が高くなり、良好な信号特性が得られ、良好な記録再生が可能となる。
【００４８】
また、対物レンズ２は支軸１４が軸受部１７に支持されており、特許文献１の発明のように弾性支持されているものではない。このため、ボビン３がトラッキング方向に移動しても対物レンズ２がそのトラッキング方向に振動するということが発生せず、対物レンズ２のトラッキング制御が安定する。そして、ボビン３のトラッキング動作に伴う対物レンズ２のトラッキング方向の振動が発生しないため、対物レンズ２のチルト補正に要する消費電力も低減される。
【００４９】
また、使用するチルト補正コイル１９が一つであり、部品点数が少なくなるとともに組付工程数も少なくなり、組付バラツキが発生しにくくなり、チルト補正マグネット１８とチルト補正コイル１９との間の磁気ギャップのバラツキが小さくなる。
【００５０】
なお、本実施の形態では、収納凹部１６の周縁部に形成した軸受部１７を、支軸１４をラジアル方向と直交する軸心周りに回動自在に支持する向きに形成したが、支軸１４をタンジェンシャル方向と直交する軸心周りに回動自在に支持する向きに形成してもよい。
【００５１】
本発明の第２の実施の形態を図４に基づいて説明する。なお、図１ないし図３において説明した部分と同じ部分は同じ符号で示し、説明も省略する（以下の実施の形態でも同じ）。
【００５２】
本実施の形態は、ボビン３側の構成は第１の実施の形態と同じであり、ボビン３には、貫通孔部１５、収納凹部１６、軸受部１７が形成されている。
【００５３】
本実施の形態が第１の実施の形態と異なる点は、対物レンズホルダ１３（図２参照）を用いずに、対物レンズ２の光軸と直交して対物レンズ２の外周方向に突出する軸心を有する一対の支軸１４ａを対物レンズ２に直接設けた点である。対物レンズ２を収納凹部１６に収納したときに、支軸１４ａが軸心周りに回動自在に軸受部１７に支持される。円弧状に形成された一対のチルト補正マグネット１８は、対物レンズ２の外周部に固定されている。
【００５４】
このような構成において、本実施の形態でも第１の実施の形態と同様に、チルト補正コイル１９に電流を流すことにより、チルト補正コイル１９とチルト補正マグネット１８との間に発生する電磁力によって対物レンズ２が支軸１４ａの軸心周りに回動し、対物レンズ２のラジアル方向のチルト補正を行える。
【００５５】
対物レンズ２を回動自在に支持する部材である支軸１４ａが対物レンズ２の光束の範囲外に位置するので、この支軸１４ａが対物レンズ２の光束を遮ることがない。このため、この対物レンズ２での光利用効率が高くなり、良好な信号特性が得られ、良好な記録再生が可能となる。
【００５６】
また、対物レンズ２は支軸１４ａが軸受部１７に支持されており、特許文献１の発明のように弾性支持されているものではない。このため、ボビン３がトラッキング方向に移動しても対物レンズ２がそのトラッキング方向に振動するということが発生せず、対物レンズ２のトラッキング制御が安定する。そして、ボビン３のトラッキング動作に伴う対物レンズ２のトラッキング方向の振動が発生しないため、対物レンズ２のチルト補正に要する消費電力も低減される。
【００５７】
さらに、支軸１４ａが対物レンズ２に直接設けられているので、チルト補正により回動する部分が軽量化されるので、ボビン３を駆動する際の消費電力、及び、チルト補正時の消費電力が低減される。また、この軽量化により、ボビン３の駆動時及びチルト補正時のレスポンスの迅速化を図ることができる。
【００５８】
本発明の第３の実施の形態を図５に基づいて説明する。本実施の形態の基本的構成は第２の実施の形態と同じであり、本実施の形態では、この第２の実施の形態に対し、収納凹部１６の周縁部であって軸受部１７の近傍に凹部２１が形成されている。凹部２１内には、対物レンズ２の外周面に押圧されるシリコンゴム等の粘弾性部材２２が設けられ、この粘弾性部材２２は対物レンズ２の外周面に押圧されている。
【００５９】
このような構成において、ボビン３のトラッキング制御時や対物レンズ２のチルト補正時において、ボビン３と対物レンズ２との間での共振の発生を粘弾性部材２２によって効果的に抑制でき、良好な光スポットを光ディスク上に集光できるようになり、良好な記録再生が可能になる。
【００６０】
本発明の第４の実施の形態を図６ないし図８に基づいて説明する。本実施の形態では、対物レンズ２を保持する対物レンズホルダ３１が設けられ、対物レンズ２を保持した対物レンズホルダ３１がボビン３に形成された収納凹部１６に収納されている。
【００６１】
対物レンズホルダ３１は、対物レンズ２を保持する対物レンズ内側ホルダ３２と、一端がこの対物レンズ内側ホルダ３２に固定されて対物レンズ２の光軸と直交して対物レンズ２の外周方向に突出する軸心を有する一対の支軸３３と、これらの支軸３３の他端が固定された対物レンズ外側ホルダ３４により形成されている。
【００６２】
対物レンズ内側ホルダ３２には、円弧状に形成された一対のチルト補正マグネット１８が固定されている。対物レンズ外側ホルダ３４はリング状に形成され、この対物レンズ外側ホルダ３４の外周にチルト補正コイル１９が巻付けられている。
【００６３】
また、対物レンズ外側ホルダ３４の外周部には凸部３５が形成され、ボビン３の収納凹部１６の内周部には凸部３５と係合する凹部３６が形成されている。凹部３６は、対物レンズホルダ３１を収納凹部１６に収納したときに、支軸３３がラジアル方向と直交する向きに位置付けされる位置に形成されている。
【００６４】
このような構成において、チルト補正コイル１９に電流を流すことにより、チルト補正コイル１９とチルト補正マグネット１８との間に発生する電磁力によって支軸３３がその軸心周りにねじられ、対物レンズ２と対物レンズ内側ホルダ３２とが支軸３３の軸心周りに回動することにより対物レンズ２のラジアル方向のチルト補正を行える。このため、このチルト補正時においては支軸３３の周りでのガタが発生しないので、高精度のチルト補正を行える。
【００６５】
また、チルト補正コイル１９を対物レンズ外側ホルダ３４に巻付けることによりチルト補正コイル１９とチルト補正マグネット１８との間の磁気ギャップのバラツキがより小さくなり、チルト補正の制御をより安定させることができる。
【００６６】
本発明の第５の実施の形態を図９に基づいて説明する。本実施の形態では、対物レンズ２を支持して対物レンズ２と共にボビン３の収納凹部１６に収納されるリング状の対物レンズホルダ４１が設けられている。対物レンズ２にはその光軸と直交して対物レンズ２の外周方向に突出する軸心を有する一対の第一支軸４２が設けられ、対物レンズホルダ４１には第一支軸４２を軸心周りに回動自在に支持する一対の第一軸受部４３と、対物レンズ２の光軸及び第一支軸４２と直交して対物レンズ２の外周方向に突出する軸心を有する一対の第二支軸４４とが設けられている。ボビン３の収納凹部１６の周縁部には、第二支軸４４をタンジェンシャル方向と直交する方向の軸心周りに回動自在に支持する一対の第二軸受部４５が形成されている。
【００６７】
対物レンズ２の外周部には円弧状に形成された４つのチルト補正マグネット４６が固定され、これらのチルト補正マグネット４６は隣合うものが極性を逆向きにして配置されている。
【００６８】
ボビン３の収納凹部１６の周縁部には、４つのチルト補正マグネット４６に対向する４つのチルト補正コイル４７ａ、４７ｂ、４７ｃ、４７ｄが固定されている。
【００６９】
そして、上述したチルト補正マグネット４６及びチルト補正コイル４７ａ、４７ｂ、４７ｃ、４７ｄ等により、対物レンズ２を第一支軸４２の軸心周りに回動させてラジアル方向のチルト補正を行う第一チルト補正手段と、対物レンズホルダ４１を対物レンズ２と共に第二支軸４４の軸心周りに回動させてタンジェンシャル方向のチルト補正を行う第二チルト補正手段とが設けられている。
【００７０】
このような構成において、ラジアル方向のチルト補正を行う場合には、チルト補正コイル４７ａ、４７ｄ又はチルト補正コイル４７ｂ、４７ｃに電流を流す。これにより、電流が流れたチルト補正コイル４７とそのチルト補正コイル４７に対向するチルト補正マグネット４６との間に電磁力が発生し、その電磁力によって対物レンズ２が第一支軸４２の軸心周りに回動し、対物レンズ２のラジアル方向のチルト補正を行える。
【００７１】
一方、タンジェンシャル方向のチルト補正を行う場合には、チルト補正コイル４７ａ、４７ｂ又はチルト補正コイル４７ｃ、４７ｄに電流を流す。これにより、電流が流れたチルト補正コイル４７とそのチルト補正コイル４７に対向するチルト補正マグネット４６との間に電磁力が発生し、その電磁力によって対物レンズホルダ４１が対物レンズ２と共に第二支軸４４の軸心周りに回動し、対物レンズ２のタンジェンシャル方向のチルト補正を行える。
【００７２】
また、ラジアル方向とタンジェンシャル方向とに同時にチルト補正を行う場合には、チルト補正コイル４７ｂ、４７ｄ又はチルト補正コイル４７ａ、４７ｃに電流を流す。これにより、電流が流れたチルト補正コイル４７とそのチルト補正コイル４７に対向するチルト補正マグネット４６との間に電磁力が発生し、その電磁力によって対物レンズ２が第一支軸４２及び第二支軸４４の軸心周りに回動し、対物レンズ２のラジアル方向及びタンジェンシャル方向のチルト補正を同時に行える。
【００７３】
本発明の第６の実施の形態を図１０及び図１１に基づいて説明する。本実施の形態では、チルト補正コイル１９（図２、図４参照）に給電する導電線５１が、棒状弾性支持部材４に支持されている。棒状弾性支持部材４による導電線５１の支持は、導電線５１を防振ゴム５２を用いて棒状弾性支持部材４に貼り付けることにより行われている。
【００７４】
このような構成において、導電線５１の配線を空中配線としなくてもよく、導電線５１の配線が容易になる。また、ボビン３の移動時に導電線５１の共振が発生せず、フォーカシング及びトラッキングの制御精度が向上する。
【００７５】
なお、チルト補正コイル１９への給電のために導電線５１を用いず、棒状弾性支持部材４を給電部材として用いることも可能である。但しこの場合には、フォーカシング駆動用コイル５、トラッキング駆動用コイル６への給電を棒状弾性支持部材４を用いずに行う構成とする必要がある。
【００７６】
本発明の第７の実施の形態を図１２に基づいて説明する。図１２は光ピックアップ装置を示す概略構成図である。本実施の形態は、上述した各実施の形態のように構成された対物レンズチルト補正装置を備えた対物レンズ駆動装置６１を有する光ピックアップ装置６２への適用例を示す。
【００７７】
光ピックアップ装置６２に搭載されている半導体レーザ等のレーザ光源６３から出射された拡散光は、コリメートレンズ６４によって略平行光になる。その後、ビームスプリッタ６５を通り、立上げミラー６６により折り曲げられる。立上げミラー６６によって折り曲げられた平行光は光ピックアップ装置６２に搭載された対物レンズ駆動装置６１の対物レンズ２に入射し、光ディスク６７上にスポットを形成する。
【００７８】
スポットの反射光はビームスプリッタ６５によって来た方向と向きをかえられ、集光レンズ６８とシリンドリカルレンズ６９を通った後、４分割受光素子７０に入射する。光ディスク６７上のスポットの反射光が４分割受光素子７０に入射するように上述の各光学部品を配置しておく。４分割受光素子７０で得られた信号を元にして対物レンズ駆動装置６１のフォーカシング駆動用コイル５、トラッキング駆動用コイル６、チルト補正コイル１９に通電し、光ディスク６７に対して対物レンズ２を追従させることで光ディスク６７の情報を得ることができる。集光レンズ６８、シリンドリカルレンズ６９及び４分割受光素子７０により受光光学系７１が構成されている。
【００７９】
このような構成において、光ピックアップ装置６２に搭載されている対物レンズ駆動装置６１は、上述した各実施の形態で説明した対物レンズチルト補正装置を有するので、上述のように対物レンズ駆動装置６１によって対物レンズ２を光ディスク６７に対して追従させて光ディスク６７の情報の読み取り、又は、光ディスク６７への情報の書き込みを高精度に行える。
【００８０】
本発明の第８の実施の形態を図１３及び図１４に基づいて説明する。図１３は光ディスク装置を示す概略平面図、図１４はその側面図である。本実施の形態は、上述した光ピックアップ装置６２を搭載した光ディスク装置への適用例を示す。
【００８１】
光ディスク装置の筐体８１に防振ゴム８２を介してピックアップモジュールベース８３が設置されている。ピックアップモジュールベース８３には光ディスク６７を回転させる回転駆動系としてのスピンドルモータ８４が固定されている。また、ピックアップモジュールベース８３に取り付けられたシークレール８５には光ピックアップ装置６２が搭載されている。光ピックアップ装置６２はシークレール８５上を光ディスク６７の半径方向（ラジアル方向）に移動可能とされている。
【００８２】
ここで、この光ディスク装置に搭載されている光ピックアップ装置６２は、上述した第１ないし第６の各実施の形態で説明したように対物レンズチルト補正装置を具備し、高精度にチルト補正が行われる。このため、この光ディスク装置においても、チルト補正を良好に行え、情報の読み取りや書き込みを高精度に行える。
【００８３】
【発明の効果】
請求項１記載の発明の対物レンズチルト補正装置によれば、対物レンズのチルト補正のために対物レンズを回動自在に支持する部材である対物レンズホルダが対物レンズの光束の範囲外に位置するので、対物レンズの光束が対物レンズホルダによって遮光されることがなく、対物レンズでの光利用効率が高くなって良好な信号特性を得ることができる。
【００８４】
請求項２記載の発明の対物レンズチルト補正装置によれば、対物レンズのチルト補正のために対物レンズを回動自在に支持する部材である支軸が対物レンズの光束の範囲外に位置するので、対物レンズの光束が支軸によって遮光されることがなく、対物レンズでの光利用効率が高くなって良好な信号特性を得ることができ、しかも、支軸を対物レンズに直接設けることによりチルト補正のために回動する部分の軽量化が図られるので、チルト補正時における消費電力の低減化、チルト補正のレスポンスの迅速化を図ることができる。
【００８５】
請求項３記載の発明によれば、請求項１又は２記載の対物レンズチルト補正装置において、前記ボビンに前記軸受部の近傍に位置する凹部が形成され、前記凹部内に前記対物レンズホルダ又は前記対物レンズの外周面に押圧される粘弾性部材が設けられているので、ボビンのトラッキング制御時や対物レンズのチルト補正時において、ボビンと対物レンズとの間での共振の発生を粘弾性部材により抑制でき、良好な光スポットを光ディスク上に集光できるようになり、良好な記録再生を行うことができる。
【００８６】
請求項４記載の発明の対物レンズチルト補正装置によれば、対物レンズのチルト補正のために対物レンズを回動自在に支持する部材である対物レンズホルダが対物レンズの光束の範囲外に位置するので、対物レンズの光束が対物レンズホルダによって遮光されることがなく、対物レンズでの光利用効率が高くなって良好な信号特性を得ることができ、また、対物レンズのチルト補正は支軸がその軸心周りにねじられて対物レンズと対物レンズ内側ホルダとが一体に回動することにより行われるので、チルト補正時における支軸の周りでのガタがなくなり、高精度のチルト補正を行うことができる。
【００８７】
請求項５記載の発明によれば、請求項１ないし４のいずれか一記載の対物レンズチルト補正装置において、チルト補正手段は前記対物レンズの外周部に位置付けられた少なくとも２つの円弧状のチルト補正マグネットと、前記対物レンズの光軸と一致するコイル中心を有して前記チルト補正マグネットの外周に近接して前記ボビンに取付けられたリング状のチルト補正コイルとを有するので、使用するチルト補正コイルを一つにすることができ、しかも、その形状がリング状であるのでボビンへの取付精度を高めることができ、円弧状のチルト補正マグネットとの間の磁気ギャップのバラツキを抑制してチルト補正の制御を安定させることができる。
【００８８】
請求項６記載の発明によれば、請求項５記載の対物レンズチルト補正装置において、前記対物レンズ外側ホルダがリング状に形成され、前記対物レンズ外側ホルダに前記チルト補正コイルが巻かれているので、チルト補正コイルとチルト補正マグネットとの間の磁気ギャップのバラツキをより小さくすることができ、チルト補正の制御をより安定させることができる。
【００８９】
請求項７記載の発明の対物レンズチルト補正装置によれば、対物レンズのチルト補正のために対物レンズを回動自在に支持する部材である第一支軸や対物レンズホルダが対物レンズの光束の範囲外に位置するので、対物レンズの光束が第一支軸や対物レンズホルダによって遮光されることがなく、対物レンズでの光利用効率が高くなって良好な信号特性を得ることができる。
【００９０】
請求項８記載の発明の対物レンズ駆動装置によれば、請求項１ないし７のいずれか一記載の対物レンズチルト補正装置を有するので、請求項１ないし７のいずれか一記載の発明と同じ効果を奏する。
【００９１】
請求項９記載の発明によれば、請求項８記載の対物レンズ駆動装置において、前記チルト補正手段に給電する導電線が前記棒状弾性支持部材に支持されているので、チルト補正手段に給電するための導電線の配線が容易になり、ボビンの移動時に導電線の共振が発生しないのでフォーカシング及びトラッキングの制御精度を向上させることができる。
【００９２】
請求項１０記載の発明によれば、請求項８記載の対物レンズ駆動装置において、前記棒状弾性支持部材が前記チルト補正手段に給電する部材として用いられているので、チルト補正手段に給電するための専用の導電線を設けることが不要となり、部品点数、組立工程数を少なくすることができる。
【００９３】
請求項１１記載の発明の光ピックアップ装置によれば、請求項８ないし１０のいずれか一記載の対物レンズ駆動装置を備えるので、請求項１ないし７のいずれか一記載の発明と同じ効果を奏することができる。
【００９４】
請求項１２記載の発明の光ディスク装置によれば、請求項１１記載の光ピックアップ装置を備えているので、請求項１ないし７のいずれか一に記載の発明と同じ効果を奏することができる。
【図面の簡単な説明】
【図１】本発明の第１の実施の形態の対物レンズ駆動装置を示す側面図である。
【図２】対物レンズチルト補正装置を示す分解斜視図である。
【図３】その断面図である。
【図４】本発明の第２の実施の形態の対物レンズチルト補正装置を示す分解斜視図である。
【図５】本発明の第３の実施の形態の対物レンズチルト補正装置を示す分解斜視図である。
【図６】本発明の第４の実施の形態の対物レンズチルト補正装置を示す断面図である。
【図７】その平面図である。
【図８】その一部を示す斜視図である。
【図９】本発明の第５の実施の形態の対物レンズチルト補正装置を示す分解斜視図である。
【図１０】本発明の第６の実施の形態の対物レンズ駆動装置を示す側面図である。
【図１１】その一部を示す断面図である。
【図１２】本発明の第７の実施の形態の光ピックアップを示す平面図である。
【図１３】本発明の第８の実施の形態の光ディスク装置を示す平面図である。
【図１４】その側面図である。
【図１５】従来例の対物レンズ駆動装置を示す平面図である。
【図１６】対物レンズチルト補正装置の部分を示す断面図である。
【符号の説明】
１      対物レンズ駆動装置
２      対物レンズ
３      ボビン
１２      移動手段
１３      対物レンズホルダ
１４      支軸
１４ａ    支軸
１８      チルト補正マグネット
１９      チルト補正コイル
２０      チルト補正手段
２１      凹部
２２      粘弾性部材
３１      対物レンズホルダ
３２      対物レンズ内側ホルダ
３３      支軸
３４      対物レンズ外側ホルダ
４１      対物レンズホルダ
４２      第一支軸
４３      第一軸受部
４４      第二支軸
４５      第二軸受部
５１      導電線
６１      対物レンズ駆動装置
６２      光ピックアップ装置
６３      レーザ光源
６７      光ディスク
７１      受光光学系
８４      回転駆動系
【図１】
2004288265.tif 000003
【図２】
2004288265.tif 000004
【図３】
2004288265.tif 000005
【図４】
2004288265.tif 000006
【図５】
2004288265.tif 000007
【図６】
2004288265.tif 000008
【図７】
2004288265.tif 000009
【図８】
2004288265.tif 000010
【図９】
2004288265.tif 000011
【図１０】
2004288265.tif 000012
【図１１】
2004288265.tif 000013
【図１２】
2004288265.tif 000014
【図１３】
2004288265.tif 000015
【図１４】
2004288265.tif 000016
【図１５】
2004288265.tif 000017
【図１６】
2004288265.tif 000018